(57)【要約】【課題】  通話しながら、撮影部で撮影した画像を相手に送信できる携帯電話機、及び撮影部で撮影した画像を相手に送信できると共に自分の表示部にも表示でき、また相手からの画像を自分の表示部に表示できる携帯電話機を提供すること。【解決手段】  全体を制御する制御部、各種の操作部１２、アンテナ１７を含む外部との送受信部、マイク１３、電池等を備えた本体１１と、表示部１５、スピーカ１６、二つの撮影部１８−１、１８−２、アンテナ２７を含む無線通信手段等を備え、電話機能と表示機能と撮影機能とを備えた携帯電話機であって、撮影部１８−２は撮影・送信のための操作部、電池、アンテナ３６を含む無線通信手段等を備え、蓋体１４に着脱自在に装着されており、撮影部１８−２が蓋体から取り外された状態での蓋体１４との情報信号の授受を上記無線通信手段により行なう。【選択図】        図１
2005229346.tif 000002
【特許請求の範囲】
【請求項１】
全体を制御する制御部、電話、受信、メール、表示、撮影等各種の操作部、アンテナを含む外部との送受信部、マイク、電池等を備えた本体と、表示部、スピーカ、複数の撮影部、アンテナを含む無線通信手段等を備え、電話機能と表示機能と撮影機能とを備えた携帯電話機であって、撮影部の一つは撮影・送信のための操作部、電池、アンテナを含む無線通信手段等を備え、蓋体に着脱自在に装着されており、この撮影部が蓋体から取り外された状態での蓋体との情報信号の授受を上記無線通信手段を介して行なうことを特徴とする撮影部が着脱可能な携帯電話機。
【請求項２】
全体を制御する制御部、電話、受信、メール、表示、撮影等各種の操作部、アンテナを含む外部との送受信部、マイク、電池等を備えた本体と、表示部、スピーカ、一つの撮影部、アンテナを含む無線通信手段等を備え、電話機能と表示機能と撮影機能とを備えた携帯電話機であって、上記撮影部は撮影・送信のための操作部、電池、アンテナを含む無線通信手段等を備え、蓋体に着脱自在に装着されており、上記撮影部が蓋体から取り外された状態での蓋体との情報信号の授受を上記無線通信手段を介して行なうことを特徴とする撮影部が着脱可能な携帯電話機。
【請求項３】
全体を制御する制御部、電話、受信、メール、表示、撮影等各種の操作部、アンテナを含む外部との送受信部、マイク、アンテナを含む無線通信手段、電池、スピーカを含むヘッドセット等を備えた本体と、一つ又は複数の表示部、スピーカ、複数の撮影部、アンテナを含む無線通信手段等を備え、電話機能と表示機能と撮影機能とを備えた携帯電話機であって、蓋体はさらに表示、撮影・送信のための操作部、電池、アンテナを含む無線通信手段等を備え、本体に着脱自在に装着されており、蓋体が本体からから取り外された状態での本体との情報信号の授受を上記無線通信手段を介して行なうことを特徴とする表示部及び撮影部を備えた蓋体が着脱可能な携帯電話機。
【請求項４】
請求項３に記載の携帯電話機において、蓋体は下連結部により本体の内側に折り畳めるように、且つ下連結部に着脱可能に装着され、下連結部との一体時には本体との間の情報信号の授受及び上記本体の電池からの受電を下連結部に設けた電気的接続手段と蓋体に設けた電気的接続手段を介して行なうことを特徴とする表示部及び撮影部を備えた蓋体が着脱可能な携帯電話機。
【請求項５】
請求項３または請求項４に記載の携帯電話機において、第一表示部は蓋体に一体に設けられ、第二表示部は連結部により蓋体の内側または外側に折り畳めるように設けられていることを特徴とする表示部及び撮影部を備えた蓋体が着脱可能な携帯電話機。
【請求項６】
請求項３ないし請求項５のいずれか１項に記載の携帯電話機において、蓋体が本体から取り外された状態で、撮影部で撮影した画像を相手に送信すると共に第一表示部または第二表示部に表示したとき、相手から送信された画像を第二表示部または第一表示部に表示することを特徴とする表示部及び撮影部を備えた蓋体が着脱可能な携帯電話機。
【請求項７】
請求項３に記載の携帯電話機において、蓋体が本体から取り外された状態で、撮影部で撮影した画像を相手に送信し、相手からの画像を表示部に表示することを特徴とする表示部及び撮影部を備えた蓋体が着脱可能な携帯電話機。
【発明の詳細な説明】
【技術分野】
【０００１】
本発明は、撮影部又は表示部及び撮影部を備えた蓋体が着脱可能な携帯電話機に関する。
【背景技術】
【０００２】
携帯電話機は、制御部、操作部、マイク、スピーカ等を備えた携帯電話機本体による電話機能と共に、表示装置により画像を表示する表示機能を備えており、さらに最近は撮影機能を備えたものも普及してきている。
ところで最近の携帯電話機はますます小型化されており、そのため操作部による操作性が悪くなっている。
そこで操作部を携帯電話機に着脱自在に設けておき、操作の際にこの操作部を取り外して操作できるようにして、操作性を向上するようにした携帯電話機が提案されている（例えば、特許文献１参照）。
【０００３】
【特許文献１】特開２００１−３６６１９号公報
【発明の開示】
【発明が解決しようとする課題】
【０００４】
このように前記特許文献１は操作部を取り外し得るようにして、携帯電話機の操作性の問題を解決したものである。
ところで上記のように最近は撮影機能を備えた携帯電話機が普及してきているが、構造上撮影部は携帯電話機に固定されており、通話しながら相手にいろいろな撮影をして送信することはできない。また表示部が携帯電話機に固定されているので、通話しながら相手から送信されてくる画像を見ることもできない。
【０００５】
このため、通話中に自分の顔とか風景を撮影し、相手の携帯電話機に送信して、その内容を共有しながら通話することはできない。
また表示部に相手から送信（メール）されてくる画像或いは登録してある好みの画像を表示し、これを見ながら通話することはできないし、登録してあるメモ帳、スケジュール表等を表示し、その内容を確認しながら通話することもできない。
【０００６】
本発明は、上記のような点に鑑み、携帯電話機で通話しながら撮影部で撮影した画像を相手に送信できる携帯電話機を提供すること、及びさらに携帯電話機で通話しながら撮影部で撮影した画像を相手に送信できると共に自分の表示部にも表示でき、また相手からの画像を自分の表示部に表示し、これを見ながら通話できる携帯電話機を提供することを目的とする。
【課題を解決するための手段】
【０００７】
上記目的を達成するために、本発明の撮影部が着脱可能な携帯電話機１０は、図示しない全体を制御する制御部、各種（電話、受信、メール、表示、撮影等）の操作部１２、アンテナ１７を含む図示しない外部との送受信部、マイク１３、図示しない電池等を備えた本体１１と、表示部１５、スピーカ１６、二つの撮影部１８−１、１８−２、アンテナ２７を含む図示しない無線通信手段等を備え、本体１１の内側へ折り畳み可能な蓋体１４とから成り、電話機能と表示機能と撮影機能とを備えた携帯電話機であって、撮影部１８−２は図示しない撮影・送信のための操作部、図示しない電池、アンテナ３６を含む図示しない無線通信手段等を備え、蓋体１４に着脱自在に装着されており、撮影部１８−２が蓋体から取り外された状態での蓋体１４との情報信号の授受を上記無線通信手段により行なうことを特徴とする。
【０００８】
また上記目的を達成するために、本発明の撮影部が着脱可能な携帯電話機１０は、図示しない全体を制御する制御部、各種（電話、受信、メール、表示、撮影等）の操作部１２、アンテナ１７を含む図示しない外部との送受信部マイク１３、図示しない電池等を備えた本体１１と、表示部１５、スピーカ１６、一つの撮影部１８、アンテナ２７を含む図示しない無線通信手段等を備え、本体１１の内側へ折り畳み可能な蓋体１４とから成り、電話機能と表示機能と撮影機能とを備えた携帯電話機であって、撮影部１８は図示しない撮影・送信のための操作部、図示しない電池、アンテナ３６を含む図示しない無線通信手段等を備え、蓋体１４に着脱自在に装着されており、撮影部１８が蓋体１４から取り外された状態での蓋体１４との情報信号の授受を上記無線通信手段により行なうことを特徴とする。
【０００９】
また上記目的を達成するために、本発明の表示部及び撮影部を備えた蓋体が着脱可能な携帯電話機１０は、図示しない全体を制御する制御部、各種（電話、受信、メール、表示、撮影等）の操作部１２、アンテナ１７を含む図示しない送受信部、マイク１３、アンテナ２７を含む図示しない無線通信手段、図示しない電池、スピーカを含むヘッドセット３１等を備えた本体１１と、一つ又は二つ（左右）の表示部１５−１、１５−２、スピーカ１６、一つの撮影部１８、アンテナ２７を含む図示しない無線通信手段等を備え、本体１１の内側へ折り畳み可能な蓋体１４とから成り、電話機能と表示機能と撮影機能とを備えた携帯電話機であって、蓋体１４はさらに図示しない表示、撮影・送信のための操作部３４、図示しない電池、アンテナ３６を含む図示しない無線通信手段等を備え、本体１１に着脱自在に装着されており、蓋体１４が本体１１からから取り外された状態での本体１１との情報信号の授受を上記無線通信手段により行なうことを特徴とする。
【００１０】
さらに上記の表示部及び撮影部を備えた蓋体が着脱可能な携帯電話機１０において、蓋体１４は下連結部１９−１により本体１１の内側に折り畳めるように設けられ、且つ下連結部１９−１に着脱可能に装着され、下連結部１９−１との一体時には本体１１との間の情報信号の授受及び上記本体の電池からの受電を下連結部１９−１に設けた図示しない電気的接続手段と蓋体に設けた電気的接続手段２０を介して行なうことを特徴とする。
【００１１】
さらにまた上記の表示部及び撮影部を備えた蓋体が着脱可能な携帯電話機１０において、左表示部１５−１は蓋体１４に一体に設けられ、右表示部１５−１は右連結部１９−２により蓋体１４の内側に折り畳めるように設けられていることを特徴とする。
【００１２】
さらにまた上記の表示部及び撮影部を備えた蓋体が着脱可能な携帯電話機１０において、蓋体１４が本体１１から取り外された状態で、撮影部１８で撮影した画像Ｘ３８を相手に送信すると共に左表示部１５−１に表示し、相手から送信された画像Ｙ３９を右表示部１５−２に表示することを特徴とする。
【００１３】
さらにまた上記の表示部及び撮影部を備えた蓋体が着脱可能な携帯電話機１０において、蓋体１４が本体１１から取り外された状態で、撮影部１８で撮影した画像Ｘ３８を相手に送信し、相手からの画像Ｙ３９を表示部１５に表示することを特徴とする。
【発明の効果】
【００１４】
本発明によれば、携帯電話機本体に撮影部を着脱自在に装着したことにより、必要に応じて本体から取り外して、通話中でも任意の対象（例えば、自分の顔、周囲の風景等）を撮影して相手の携帯電話機に送信することができる。
また表示部及び撮影部を備えた蓋体を本体に着脱自在に装着したことにより、蓋体を本体から取り外して通話しながら任意の対象を撮影して相手の携帯電話機に送信すると共に相手からの画像を表示装置に表示して、これを見ながら通話することができる。また蓋体に二つの表示部を設けておけば、一方の表示部に相手からの画像を表示し、他方の表示部に自分の撮影した画像を表示して、双方で同じ画像内容を共有し、これを見ながら通話することができる。
さらに撮影部を本体から離して撮影できるので、撮影の自由度を増すことができる。
【発明を実施するための最良の形態】
【００１５】
本発明を実施するための最良の形態を実施例に基づき図面を参照して説明する。
【実施例１】
【００１６】
図１は撮影部が着脱可能な携帯電話機の外観を概略的に示す。
携帯電話機１０は本体１１と連結部１９により内側へ折り畳み可能な蓋体１４とから成る。
本体１１は、図示しない全体を制御する制御部、各種（電話、受信、メール、表示、撮影等）の操作部１２、マイク１３、図示しない内蔵電池等を備えており、また蓋体１４は表示部１５、スピーカ１６、アンテナ１７を含む図示しない外部との送受信部、概念図で示す撮影部の第１のカメラ１８−１、第２のカメラ１８−２等を備える。
なお前記送受信部は蓋体側に限らず、本体側に設けても良い。
【００１７】
第１のカメラ１８−１は、蓋体１４に固定されており、蓋体１４に固定された状態で撮影するものである。
第２のカメラ１８−２は、蓋体１４から取り外された状態での撮影・送信に必要な図示しない操作部、図示しない内蔵電池等を備え、蓋体１４に着脱自在に装着されており、装着されている状態では一般的なロック機構によりロックされて蓋体１４と一体であるが、必要に応じてロック機構のロックを外して蓋体１４から、取り外すことができる。図１は概念図で示す第２のカメラ１８−２を蓋体から取り外した状態を示す。
蓋１４と第２のカメラ１８−２との間の情報信号の授受は小形無線通信手段により行なわれる。そのために、蓋体１４側にはアンテナ２７を含む図示しない受信部（図３参照）、第２のカメラ１８−２側にはアンテナ３６を含む図示しない情報送信（送出）制御部３３（図３参照）が設けられている。なおアンテナ２７、３６はそれぞれの機体内に設けられている。
このように撮影部を本体から離して撮影できるので、撮影の自由度を増すことができる。
【００１８】
図２は、図１と同じ携帯電話機による第２のカメラ１８−２の異なる使用態様を示す図である。
この場合、第２のカメラ１８−２は、適宜の取付手段により例えば通話者（撮影者）のメガネに取り付けられており、顔を向いた方向の撮影対象３７を適宜撮影し、その画像を送信することができる。
なお実施例１の場合二つの撮影部（第１のカメラ、第２のカメラ）を備えているので、第１のカメラ１８−１により第一の撮影対象を撮影することができ、また第２のカメラ１８−２により他の撮影対象を撮影することができる。
【実施例２】
【００１９】
実施例１は、前述のように二つの撮影部（第１のカメラ１８−１、第２のカメラ１８−２）を備えたものであるが、実施例２の場合の撮影部は一つで、蓋体１４に着脱自在に装着されたもののみで、蓋体１４に固定される撮影部は備えていない実施例であり、蓋体に着脱自在に装着された撮影部の使用態様は、実施例１の場合と同様である。
【００２０】
図３は撮影部が着脱可能な携帯電話機の内部構成のブロック図である。
本体・蓋体側は、通話制御部２１、ズーム、セルフタイマ、露出、フラッシュ指示等の撮影制御部２２、表示制御部２３、表示部１５、操作部１２、アンテナ１７、電源部（電池）２４、撮影部側からの情報信号の受信を行なうための受信部２５、受診画像をいったん記憶するための記憶部２６、アンテナ２７等を備え、また撮影部側は、撮影制御部２８、フラッシュ制御部２９、露出制御部３０、撮影画像をいったん記憶するための記憶部３１、デジタル情報変換部３２前記本体・蓋体側へ情報信号の送信を行なう情報送信（送出）制御部３３、撮影部側で撮影・送信操作をするための操作部３４、撮影部が本体・蓋体側から取り外された場合に機能する電源部（電池）３５等を備える。なおこの電源部（電池）３５は撮影部が本体・蓋体と一体時に上記電源部２４と同様に図示しない充電器により充電されて使用される。
【００２１】
情報信号の授受及び本体・蓋体側の電源部からの受電は、撮影部が本体・蓋体に装着されている状態ではコネクタ（電気的接続端子）を介して直接行われるが、撮影部が本体・蓋体から取り外されている状態での情報信号の授受は受信部２５とアンテナ２７、情報送信（送出）制御部３３とアンテナ３６を介して、無線通信で行われる。
なお実施例１のように撮影部を二つ装着する場合には、本体・蓋体側に一方の撮影部とそのためのフラッシュ制御部、露出制御部等が設けられる。
【実施例３】
【００２２】
図４は、二つの表示部と撮影部とを備えた蓋体が着脱可能な携帯電話機の外観を概略的に示す。
この場合携帯電話機１０は、本体１１と下連結部１９−１により内側へ折り畳み可能な蓋体１４とから成り、本体１１は図示しない全体を制御する制御部、各種の操作を行なう操作部１２、マイク１３、図示しない外部との送受信部、図示しない内蔵電池等を備え、また蓋体１４は一体の第一の表示部１５−１、スピーカ１６、一体の撮影部１８、蓋体１４を本体１１から取り外した状態で操作できる撮影・送信及び表示のための操作部３４、内蔵電池等を備える。
【００２３】
蓋体１４は下連結部１９−１に着脱可能に装着されており、本体１１と蓋体１４との一体時の両者間の情報信号の授受及び本体の内蔵電池からの受電は、下連結部１９−１に設けた図示しないコネクタと蓋体１４に設けたコネクタ２０（図５参照）を介して行われるが、蓋体１４を本体１１から取り外した状態での情報信号の授受は無線通信により行なう。そのために本体１１にはアンテナ２７を含む図示しない受信部が設けられ、蓋体１４にはアンテナ３６を含む図示しない送信部、図示しない内蔵電池が設けられる。
また蓋体１４には蓋体１４の内側へ折り畳めるように第二表示部１５−２が右連結部１９−２により連結されている。従って携帯電話機の不使用時には、第二表示部１５−２を蓋体１４の内側へ折り畳み、さらにこの蓋体１４を本体１１の内側へ折り畳めばよい。
【００２４】
蓋体１４を本体１１から取り外した状態でも通話できるように、スピーカ１６を備えたヘッドセット３１が設けられ、蓋体１４が本体１１と一体時には、蓋体１４とヘッドセット３１も一体に図示しないロック機構により一体にロックされている。
そして蓋体１４を本体１１から取り外すには、上記のロック機構のロックを外してから下連結部１９−１から取り外せばよく、これにより二つの表示部１５−１、１５−２と共に撮影部１８も本体１１から取り外せることになる。
【００２５】
図５は取り外された二つの表示部とそれに表示された画像を概略的に示す。
即ち蓋体１４が本体１１から取り外され、その結果として第一・第二の表示部１５−１、１５−２と撮影部１８も本体１１から取り外されることになる。
この状態で本体１１とヘッドセット３１を左手で持ち、第一・第二の表示部１５−１、１５−２を含む蓋体１４を右手に持って、通話しながら撮影したい方向にカメラ１８を向けて撮影すれば、その方向の撮影対象３７（例えば「Ｘ」）が撮影され、その画像３８を表示部１５−１に表示すると共に、相手からの画像３９（例えば「Ｙ」）を表示部１５−２に表示するようにすれば、通話者は相互に通話しながら、自分と相手からの画像を見ながら通話することができる。
【実施例４】
【００２６】
実施例３は蓋体１４が二つの表示部１５−１、１５−２を備えたものであるが、実施例４は蓋体１４が一つの表示部のみを備えた実施例である。
したがってこの場合は、実施例３における表示部１５−１の機能はないが、蓋体１４を本体１１から取り外し、通話しながら撮影してその画像３８を相手に送信し、相手からの画像３９を表示部に表示しながら通話することができる。なお表示部に自分が撮影した画像３８を表示することもできる。
【００２７】
なお本発明の携帯電話機はいずれも、撮影部を蓋体から取り外さない状態でも、また撮影部を備えた蓋体を本体から取り外さない状態でも、通話、撮影・送信、表示することができることは云うまでもない。
【図面の簡単な説明】
【００２８】
【図１】撮影部が着脱可能な携帯電話機の概略構成図。
【図２】取り外した撮影部の異なる使用態様を示す図。
【図３】撮影部が着脱可能な携帯電話機の内部構成のブロック図。
【図４】二つの表示部と撮影部とを備えた蓋体が着脱可能な携帯電話機の概略構成図。
【図５】取り外された二つの表示部に表示された画像の概略図。
【符号の説明】
【００２９】
１０  携帯電話機
１１  本体
１２  操作部
１３  マイク
１４  蓋体
１５  表示部
１６  スピーカ
１７  アンテナ
１８  カメラ（撮影部）
１９  連結部
２０  コネクタ（電気的接続手段）
２１  通話制御部
２２  撮影制御部
２３  表示制御部
２４、３５  電源部
２５  受信部
２６、３１  記憶部
２７、３６  アンテナ
２８  撮影制御部
２９  フラッシュ制御部
３０  露出制御部
３１  ヘッドセット
３２  デジタル情報変換部
３３  情報送信（送出）制御部
３４  操作部
３５  電源部
３７  撮影対象
３８、３９  画像
【図１】
2005229346.tif 000003
【図２】
2005229346.tif 000004
【図３】
2005229346.tif 000005
【図４】
2005229346.tif 000006
【図５】
2005229346.tif 000007